(57)【要約】      （修正有）【課題】  本発明は、ＩＣタグの読み取り感度が低下しないように被装着体に装着できるＩＣタグ付きラベルを提供する。【解決手段】  容器などの被装着体へ装着するための装着部２１と、装着部２１から一体的に設けられ、且つ装着時に被装着体から離れて突出しうる突出部２２とを有し、この突出部２２にＩＣタグ３が具備されているＩＣタグ付きラベル。【選択図】      図１
2006003497.tif 000002
【特許請求の範囲】
【請求項１】
容器などの被装着体へ装着するための装着部と、前記装着部から一体的に設けられ、且つ装着時に前記被装着体から離れて突出しうる突出部と、を有するラベルであって、
前記突出部に、ＩＣタグが具備されていることを特徴とするＩＣタグ付きラベル。
【請求項２】
ラベルが装着されている容器であって、
前記ラベルの一部分が容器から離れて突出しており、この突出部分にＩＣタグが具備されていることを特徴とするＩＣタグ付き容器。
【発明の詳細な説明】
【技術分野】
【０００１】
本発明は、ＩＣタグを備えるＩＣタグ付きラベル及びＩＣタグ付き容器に関する。
【背景技術】
【０００２】
従来、容器などに装着するラベルには、必要に応じて、バーコードなどの機械的読取記号が印刷されており、これによって商品の品質、流通などが管理されていた。
ところが、近年のＩＴ技術の著しい進歩によって、超小型のＩＣチップを備えるＩＣタグが、バーコードなどに代わって商品の製造、品質、流通などの管理に利用されるようになってきている。例えば、特開２００４−２０７７１には、筒状のラベル基材面に、導電性インキからなるアンテナパターンが印刷され、このアンテナパターンに電気的に導通するようにＩＣタグが貼着されているＩＣタグ付きボトル用ラベルが開示されている。かかるラベルは、容器の胴部に装着することにより使用される。
【０００３】
しかしながら、上記のＩＣタグ付きボトル用ラベルを容器胴部に装着すると、容器の胴部形状に沿ってラベルが変形し、それに伴いＩＣタグが変形することがある。このようにＩＣタグが変形すると、リーダライタ装置との間に於ける電波の送受信が悪くなり、ＩＣタグの電子情報の読み取り感度が低下するという問題点がある。特に、半径の小さい円筒状の胴部を有する容器に上記ラベルを装着した場合、ＩＣタグの変形度合いが大きくなるから、この問題が顕著である。
また、上記ラベルを装着した容器は、ＩＣタグが胴部に位置するため、製造ライン上や保管運搬時などに於いて、容器胴部が互いに擦れたり衝突することによってＩＣタグが損傷する虞がある。さらに、この容器が飲料容器の場合には、充填された飲料に電波が吸収され易く、ＩＣタグの読み取り感度が低下する。また、容器の材質が金属である場合にも読み取り感度の低下という同様の問題が生じる。
【０００４】
【特許文献１】特開２００４−２０７７１公報
【発明の開示】
【発明が解決しようとする課題】
【０００５】
そこで、本発明は、ＩＣタグの読み取り感度が低下しないように被装着体に装着できるＩＣタグ付きラベル、及びＩＣタグの読み取り感度が低下しないように工夫されたＩＣタグ付き容器を提供することを課題とする。
【課題を解決するための手段】
【０００６】
上記課題を解決するための第１の手段として、本発明は、容器などの被装着体へ装着するための装着部と、装着部から一体的に設けられ、且つ装着時に被装着体から離れて突出しうる突出部とを有するラベルであって、この突出部にＩＣタグが具備されているＩＣタグ付きラベルを提供する。
【０００７】
上記ＩＣタグ付きラベルは、被装着体へ装着するための装着部と、装着部から一体的に設けられ、且つ装着時に被装着体から離れて突出しうる突出部とを有するので、装着部を容器などの被装着体の適宜位置に装着することにより、ＩＣタグの具備された突出部を被装着体から離して突出させることができる。従って、ＩＣタグが容器の外形に沿って変形する虞がなく、ＩＣタグとリーダライタ装置の間で良好に電波を送受信することができる。
また、上記ラベルを飲料容器などの水分を充填した容器に装着した場合でも、ＩＣタグの具備された突出部が被装着体と非接触となるので、該水分によって電波が吸収されることを防止でき、又、被装着体が金属製であっても、同様にＩＣタグが非接触となるので、ＩＣタグの読み取り感度が低下することを防止できる。
【０００８】
また、本発明の第２の手段は、ラベルが装着された容器であって、ラベルの一部分が容器から離れて突出しており、この突出部分にＩＣタグが具備されているＩＣタグ付き容器を提供する。
【０００９】
かかるＩＣタグ付き容器は、ラベルの一部分が容器から離れて突出し、この突出部分にＩＣタグが具備されているので、ＩＣタグが容器の外形に沿って変形する虞がなく、ＩＣタグとリーダライタ装置の間で良好に電波を送受信することができる。
【発明の効果】
【００１０】
本発明のＩＣタグ付きラベルは、装着部を容器などの被装着体の適宜位置に装着することにより、ＩＣタグの具備された突出部を被装着体から離して突出させることができる。従って、ＩＣタグが容器の外形に沿って変形する虞がなく、ＩＣタグとリーダライタ装置の間で良好に電波を送受信することができる。
また、本発明のＩＣタグ付き容器は、ＩＣタグが容器の外形に沿って変形する虞がなく、ＩＣタグとリーダライタ装置の間で良好に電波を送受信することができる。
【発明を実施するための最良の形態】
【００１１】
以下、本発明について、図面を参照しつつ具体的に説明する。
図１及び図２に於いて、１は、ラベル本体２と、該ラベル本体２に具備されたＩＣタグ３とを有するＩＣタグ付きラベルを示す。
ラベル本体２は、容器などの被装着体に装着可能な装着部２１と、この装着部２１に一体的に設けられ、且つ被装着体から離れて突出しうる突出部２２とを有し、該突出部２２には、ＩＣタグ３が具備されている。
【００１２】
具体的には、ラベル本体２は、公知のフィルム（一般にシートと呼ばれるものも同義である）からなり、例えば、紙、合成紙、合成樹脂製フィルム、発泡樹脂シートなどや、これら同種又は異種の積層体などを用いることができる。本実施形態では、後述するようにＩＣタグ３を介装するために、ラベルフィルムとして少なくとも２層の積層体が用いられている。
このラベルフィルムには、商品名、絵柄などを表面側から表示するための意匠印刷層２４が施されている。尚、ラベルフィルムには、オーバーコーティング層などのその他の層を適宜積層することができる（図示せず）。
かかるラベル本体２の平面形状は、図１に示すように、面積の異なる２つの矩形部分が一体的に結合した形状からなる。このうち比較的小面積の部分が装着部２１を構成し、比較的大面積の部分が突出部２２を構成している。この装着部２１の裏面には、被装着体に貼付するための粘着層２３が設けられている。一方、突出部２２の表裏面は接着処理が施されておらず（被装着体に非貼付）、この部分にＩＣタグ３が具備されている。
尚、ラベル本体２の裏面全体に粘着剤などを塗布し、このうち突出部２２の裏面に紫外線硬化型インキなどを塗布することにより非接着処理を行うことにより、装着部２１の裏面に粘着層２３を設けるようにしてもよい。
ＩＣタグ３は、ＩＣチップ及びアンテナ部からなるモジュール部を有し、リーダライタ装置と非接触でＩＣチップの電気的情報を読み書き（或いは読み出しのみ）できるものであり、一般的に、ＲＦＩＤタグ、ＲＦＩＤインレット、無線ＩＣタグ、非接触ＩＣ、非接触データキャリアなどと表現されているものも含まれる。
ＩＣタグ３としては、例えば、図３に示すように、合成樹脂フィルムなどの基材３４と、この基材３４の上に所定のパターンで形成された導電性アンテナ部３１及びアンテナ部３１の端部に電気的に接続されたＩＣチップ３２からなるモジュール部３３と、を備える構成のものや、アンテナ機能を内蔵した小型のもの（例えば（株）日立製作所製のミューチップ［商品名］）などが例示され、概ね、数センチ四方〜数ミリ四方の大きさのものが用いられる。
【００１３】
ＩＣタグ３を突出部２２に具備させる手段は特に限定されず、例えば、突出部２２の裏面（又は表面）にＩＣタグ３を接着剤などを用いて貼着してもよいが、ＩＣタグ３のみを簡単に剥奪できないこと、ＩＣタグ３の存否が判別し難いことなどから、図２に示すように、ラベル本体２を積層体で形成し、この中間層（上層フィルム２ａと下層フィルム２ｂの間）にＩＣタグ３を介装することが好ましい。
また、ＩＣタグ３を設ける位置は、特に限定されないが、好ましくは装着部２１からできるだけ離れた位置、例えば、突出部２２の上端部寄り（装着部２１に対向する端部寄り）に設けることが好ましい。
尚、ラベル１の全厚は、概ね８０〜２００μｍ程度が例示される。
【００１４】
上記ＩＣタグ付きラベル１は、例えば、下記の製法で得ることができる。
下層フィルム原反の上に、基材原反にＩＣチップやアンテナなどのモジュール部が所定間隔を置いて連続的に形成されたＩＣタグ原反を積層接着し、更に、その上から上層フィルム原反を積層接着することにより積層シートを得る。各層の接着は、ドライラミネートなどの公知のラミネート法により行うことができる。この積層シートの裏面であって、モジュール部が具備されている位置から離れた箇所に帯状に粘着剤を塗工する。尚、積層シートの裏面全体に粘着剤を塗工した後、突出部２２相当領域に非接着処理を施してもよい。
そして、該モジュール部を含む範囲が大面積となり且つ粘着剤塗布部を含む範囲が小面積となるように、積層シートを所定形状に切り抜くことにより、上記ＩＣタグ付きラベル１を製造することができる。尚、ラベル１は、通常セパレータの上に添付されて供給される。
【００１５】
上記ＩＣタグ付きラベル１は、その装着部２１を介して、各種の形態及び材質の被装着体の所望位置に簡単に貼付することができる。貼付されたラベル１は、その突出部２２が被装着体と非接触状態で突出するので、ＩＣタグ３が被装着体の外形に沿って変形する虞がなく、ＩＣタグ３の読み取り感度を低下させることはない。また、ＩＣタグ付きラベル１は、この突出部２２を被装着体から突出させて装着できるため、いわゆるＰＯＰラベルとして宣伝広告効果も高めることができる。
【００１６】
また、上記ＩＣタグ付きラベル１は、そのＩＣチップ３２に所定の懸賞情報を記録しておくことにより、いわゆるキャンペーン用ラベルとしても使用できる。このようなラベルの使用例としては、例えば、携帯電話や店頭に設置されたリーダ装置などによって読みとることができる特定のＩＤ番号が記録されたＩＣチップ３２を有するＩＣタグ付きラベル１を用い、消費者が携帯電話などでこのＩＤ番号を読み込んで懸賞に参加するという方法が考えられる。この場合、悪意の消費者が、商品を購入することなくＩＣチップ３２から懸賞情報だけを盗み取ることも考えられるので、かかる不正行為を防止する意味から、未購入時には懸賞情報の読み取りが不可であり、代金を支払った際に店舗側のリーダライタ装置によって読み取り可能となるＩＣチップ３２を備えるＩＣタグ付きラベル１を用いることが好ましい。
【００１７】
ＩＣタグ付きラベル１を装着する被装着体としては、特に限定されず、例えば、飲料、食品、シャンプーなどのサニタリー製品、薬品、その他各種の物品が収容された容器、物品又は物品が収容された容器などが包装された包装箱、物品自体などが挙げられる。
例えば、図４（ａ）及び（ｂ）に示すものは、飲料が充填された容器４にＩＣタグ付きラベル１を装着したＩＣタグ付き飲料容器１０であって、容器４の胴部よりも上方位置に於いて、ラベル１の一部分が突出しており、この突出部分２２にＩＣタグ３が具備されているＩＣタグ付き飲料容器である。
具体的には、この容器４は、底面部４１、これに続く中空円筒状の胴部４２、胴部４２から次第に細くなる肩部４３及び首部４４が形成され、首部４４の上方に注出口とこれに螺合するネジキャップ４５が設けられている。尚、この容器４の胴部４２から肩部４３の一部にかけて、公知の熱収縮性筒状ラベル４６が装着されている。また、容器４の材質は、特に限定されず、合成樹脂、ガラス、金属、陶器などでもよいが、後述するように、アルミニウム、スチール（合成樹脂製フィルムが積層されたアルミニウム板やスチール板などを含む）などの金属素材からなる容器４に本発明を適用することが効果的である。
この飲料容器４の胴部４２の上端部に、突出部２２を上方に向けてＩＣタグ付きラベル１の装着部２１を貼付することにより、ＩＣタグ付き飲料容器１０が構成されている。
【００１８】
上記ＩＣタグ付き飲料容器１０は、ＩＣタグ３の具備された突出部２２が容器４と非接触で突出しているため、ＩＣタグ３が変形せず、又、飲料による電波吸収や金属製容器４による電波障害を防止できる。従って、リーダライタ装置によってＩＣタグ３の情報を良好に読み書きできるＩＣタグ付き飲料容器１０を提供できる。
さらに、上記ＩＣタグ付き飲料容器１０は、ラベル１の突出部２２が、容器４の胴部４２から離れ、その胴部４２と肩部４３の径差によって生じる空間部分（容器４の窪み部分）に位置しているので、製造ライン上や保管運搬時などに於いて、容器胴部４２が互いに擦れたり衝突することによってＩＣタグ３が損傷する虞もない。特に、容器が金属製の場合には、容器４の胴部４２にＩＣタグ３が存在すると、胴部同士の衝突によりＩＣタグ３が損傷し易いが、本発明は、容器４の素材に拘わらずＩＣタグの損傷を防止できる。
また、保管運搬時などに於いて、突出部２２が他の障害物に接触しても、ＩＣタグ付きラベル１は、可撓性のある柔軟な素材からなるので、ＩＣタグ３が損傷する虞はない。
【００１９】
さらに、容器の胴部にＩＣタグが存在する従来のＩＣタグ付き容器では、例えば、複数の容器が包装箱に詰められていると、リーダライタ装置で個々のＩＣタグ情報を読み取り難いという問題点があるが、本発明のように容器４の胴部４２の上方に突出部２２が突出しているＩＣタグ付き容器１０によれば、複数の容器１０が密集している状態でも、個々のＩＣタグ情報を確実に読み書きすることができる。
【００２０】
尚、ＩＣタグ付きラベル１の装着部２１を容器４の胴部４２に貼付する構成に代えて、例えば、図４（ｃ）に示すように、容器４のキャップ２３にラベル１の装着部２１を貼付してもよく、又、特に図示しないが、容器４の肩部４３に貼付してＩＣタグ付き容器１０を構成することも可能である。
【００２１】
次に、上記各実施形態の変形例を示す。但し、上記各実施形態と異なる部分について主として説明し、同様の構成についてはその説明を省略し、用語及び図番を援用することがある。
図５は、形状の異なるＩＣタグ付きラベル１の各種の変形例を示すものである。
同図（ａ）は、ラベル本体２の平面形状が略円形状に形成された態様、同図（ｂ）は、同平面形状が矩形状に形成された態様、同図（ｃ）は、同平面形状が三角形状に形成された態様のＩＣタグ付きラベル１を示す。何れもラベル本体２の裏面の一部分に粘着層２３が設けられており、突出部２２にはＩＣタグ３が具備されている。
同図（ｄ）及び（ｅ）は、装着部２１と突出部２２の間にこれらよりも幅が狭い連結部２５が形成されたＩＣタグ付きラベル１を示す。特に、同図（ｅ）のものは、装着部２１が幅広（比較的大面積）に形成されているものである。本変形例に係るＩＣタグ付きラベル１は、装着部２１と突出部２２の間に幅狭の連結部２５が介在しているので、例えば、被装着体の円筒状部分に貼付した装着部２１が湾曲変形しても、上記連結部２５を介して一体化された突出部２２は殆ど変形せず、突出部２２を板状に維持できる。よって、被装着体の円筒状部分に貼着するＩＣタグ付きラベル１としてより好ましい態様である。特に半径の小さい円筒状の胴部を有する容器（例えば、小型の飲料容器など）に装着するのに好適なＩＣタグ付きラベル１である。
尚、同図（ｅ）のものは、装着部２１の被装着体に対する貼付面積が大きくなるので、ラベル１の不用意な脱落を防止できるので好ましい態様である。
【００２２】
図６に示す変形例は、被装着体へ装着する手段として、（粘着剤貼付に代えて）ラベルの締付力を利用したＩＣタグ付きラベル１の一例である。
このラベル本体２は、装着部２１が熱収縮性フィルムからなり、突出部２２が非熱収縮性のフィルムからなる。装着部２１は、例えば、容器４のキャップ部分に嵌挿可能な大きさに形成されており、周方向に熱収縮するように筒状に形成されている。突出部２２は、フラッグ状に形成されており、装着部２１の放射方向に延出されている。また、シュリンク装着時にキャップの上面周縁部に被る封止部分を確保するため、突出部２２は、装着部の上方側を除いて設けられている。
このＩＣタグ付きラベル１は、装着部２１を形成すべく熱収縮性フィルムを筒状にし、その両側端部の間に装着部２２の一側端部を挟み込んで接着することにより、熱収縮性の装着部２１と非熱収縮性の突出部２２が一体化されている。尚、突出部２２には、ＩＣタグ３が具備されていることは上記実施形態と同様である。
【００２３】
この変形例に係るＩＣタグ付きラベル１は、例えば、図７に示すように、容器のキャップ４５部分にシュリンク装着することにより、所謂ＰＯＰ効果を有するキャップシールとして使用することができる。かかる変形例のラベル１も上記と同様に、ＩＣタグ３の具備された突出部２２が容器４に非接触となるので、ＩＣタグ３の読み取り感度が低下する虞はない。また、装着部２１は、周方向に熱収縮するので、装着部２１の収縮によって突出部２２が大きく変形することもない。
尚、図６に係る変形例のＩＣタグ付きラベル１に於いて、例えば、装着部２１の内径を大径に形成すれば、容器４の肩部４３や胴部４２にシュリンク装着することも可能である。
【００２４】
図８に示す変形例は、被装着体へ装着する手段として、被装着体に掛止して装着するＩＣタグ付きラベル１の一例である。
このラベル本体２は、比較的剛性のあるフィルム（肉厚のある紙、肉厚のある合成樹脂フィルムなど）からなり、矩形状などの所定形状に形成されている。ラベル本体２の中央寄りには、容器４の注出口から首部４４へ嵌入可能な装着孔２６（装着部２１に相当する）が形成されている。この装着孔２６は、容器４の首部４４に遊嵌できるように、該首部４４の径よりも大径に形成されていてもよいが、不用意に外れることを防止できることから、図示したように、装着孔２６を首部４４よりも小径に形成し、且つ該装着孔２６の周縁部に複数の切込部２７を放射状に形成したものを用いることが好ましい。この装着孔２６の周辺領域は、容器４に掛止した際に、容器から離れて突出する突出部２２に相当し、ＩＣタグ３が具備されている。
【００２５】
この変形例に係るＩＣタグ付きラベル１は、例えば、図９に示すように、容器４の首部４４（又は肩部４３）に掛止することにより、所謂ＰＯＰ効果を有する首掛けラベルとして使用することができる。かかる変形例のラベル１も上記と同様に、ＩＣタグ３の具備された突出部２２が容器４に非接触となるので、ＩＣタグ３の読み取り感度が低下する虞はない。
【図面の簡単な説明】
【００２６】
【図１】（ａ）は、ＩＣタグ付きラベルを表面側から見た平面図、（ｂ）は、同裏面側から見た背面図。
【図２】図１のＡ−Ａ線断面図。
【図３】（ａ）は、ＩＣタグの一実施形態を示す平面図、（Ｂ）は、Ｂ−Ｂ線端面図。
【図４】（ａ）は、ＩＣタグ付き容器を示す正面図、（ｂ）は、同側面図、（ｃ）は、ＩＣタグ付きラベルの貼付位置が異なるＩＣタグ付き容器を示す側面図。
【図５】（ａ）〜（ｅ）共に、変形例に係るＩＣタグ付きラベルを表面側から見た平面図。
【図６】変形例に係るＩＣタグ付きラベルの斜視図。
【図７】図６のラベルが装着されたＩＣタグ付き容器の変形例を示す一部省略斜視図。
【図８】変形例に係るＩＣタグ付きラベルの平面図。
【図９】図７のラベルが装着されたＩＣタグ付き容器の変形例を示す一部省略斜視図。
【符号の説明】
【００２７】
１…ＩＣタグ付きラベル、２…ラベル本体、２ａ…上層フィルム，２ｂ…下層フィルム、２１…装着部、２２…突出部、２３…粘着層、２４印刷層、２５…連結部、２６…装着孔、２７…切込部、３…ＩＣタグ、３１…アンテナ部、３２…ＩＣチップ、３３…モジュール部、３４…基材、４…容器、４１…底面部、４２…胴部、４３…肩部、４４…首部、４５…キャップ、１０…ＩＣタグ付き容器
【図１】
2006003497.tif 000003
【図２】
2006003497.tif 000004
【図３】
2006003497.tif 000005
【図４】
2006003497.tif 000006
【図５】
2006003497.tif 000007
【図６】
2006003497.tif 000008
【図７】
2006003497.tif 000009
【図８】
2006003497.tif 000010
【図９】
2006003497.tif 000011